(57)【要約】      （修正有）【課題】頭髪カットなどの際に面ファスナの細かい目の間に刈られた毛髪等が付着することを防止でき、着用者に不快感を与えず、身体からずり落ちることがなく、カットなどの作業が効率良く行え、多数回の洗濯に耐え、頻繁に新しい理容・美容用ケープに交換する必要がなく、経済的な理容・美容用ケープを提供する。【解決手段】首周りに両側から重ね合わされる襟部襟部が設けられ、該襟部の両端部１ａａ、１ａｂに互いに係合可能に面ファスナ２ａ、２ｂが設けられた理容・美容用ケープ１において、被覆部材３の上端部３ａが前記襟部の上部位置に取着されており、互いに係合した面ファスナを外側から該被覆部材が覆うようになっている。【選択図】図２
0003165301.tif 000002
【実用新案登録請求の範囲】
【請求項１】
首周りに両側から重ね合わされる襟部が設けられ、該襟部の両端部に互いに係合可能に面ファスナが設けられた理容・美容用ケープにおいて、被覆部材の上端部が前記襟部の上部位置に取着されており、互いに係合した面ファスナを外側から該被覆部材が覆うようになっていることを特徴とする理容・美容用ケープ。
【請求項２】
前記襟部の両端部に互いに係合可能な面ファスナ群が理容・美容用ケープの上下方向に多段に設けられていることを特徴とする請求項１に記載の理容・美容用ケープ。
【請求項３】
前記互いに係合可能な面ファスナのうちケープの表面側に取着された内側面ファスナに対応した箇所に前記被覆部材が設けられ、該被覆部材の上端部が前記内側面ファスナよりも内側に取着されていることを特徴とする請求項１又は２に記載の理容・美容用ケープ。
【考案の詳細な説明】
【技術分野】
【０００１】
本考案は理容・美容用ケープに関する。本考案品は、特に理髪店や美容院において、理容中又は美容中に客が着用することにより、カットした髪の毛がケープの内側に入り込んで着用者の衣服に髪の毛が付着したり、理容又は美容によって客の衣服が汚れることを防止するためのケープ（いわゆる刈布）に関する。
【背景技術】
【０００２】
上述のような理容・美容用ケープにおいては、左右の後身頃の内、一方の後身頃が左右の一方の側から着用者のほぼ背中の中央まで覆い、他方の後身頃が着用者の他方の側からほぼ背中の中央まで覆うような形状となった後開きタイプ、又は左右の前身頃の内、一方の前身頃が左右の一方の側から着用者のほぼ前身の中央まで覆い、他方の前身頃が着用者の他方の側からほぼ前身の中央まで覆うような形状となった前開きタイプとなっている。
後開きタイプにあっては、特許文献１（特開２０００−４１７３５号公報）又は特許文献２（意匠登録第１２７９２６０号公報）に見られるように、後身頃の中央で重ね合わせて、首の箇所を面ファスナーや紐等の留め具で止めている。
前開きタイプにあっては、特許文献３（実用新案登録第３０６７６４９号公報）に見られるように、前身頃の中央で重ね合わせて、首の箇所を面ファスナーや紐等の留め具で止めている。
このような理容・美容用ケープにおいては、首周りに両側から重ね合わされる襟部を設け、この襟部の両端部に係止具を設けて重ね合わされた襟部を互いに係止するようにしている。
この係止具には、ホック、スナップ等が用いられており、最近では、例えば、特許文献１、特許文献２又は特許文献３に見られるように、フック状に起毛した側とループ状に起毛した側との対からなり、係脱が容易な面ファスナ（マジックテープ〔登録商標〕の商標名で販売されている）が多用されている。
【先行技術文献】
【特許文献】
【０００３】
【特許文献１】特開２０００−４１７３５号公報
【特許文献２】意匠登録第１２７９２６０号公報
【特許文献３】実用新案登録第３０６７６４９号公報
【特許文献４】特開２００６−６４３７号公報
【特許文献５】実用新案登録第３１１９５８３号公報
【考案の概要】
【考案が解決しようとする課題】
【０００４】
上述した襟部の両端部を面ファスナで係止するようにした理美容用ケープは、襟部の係脱が容易であるが、頭髪カットなどの際に面ファスナを構成しているフック状の起毛やループ状の起毛の細かい目の間に刈られた毛髪等が付着しやすく、次に着用する人に不衛生で不潔な感じを与えるという問題がある。
【０００５】
面ファスナに髪の毛が付着したままであると、面ファスナ同士係合が浅くなり、外れ易くなってしまう。理容師・美容師は移動しながら作業を行うので、頭をカットしている最中に面ファスナが外れてしまうと、理容師・美容師が移動時にケープに接触してケープが外れてしまうという問題が生じる。
【０００６】
また、面ファスナの目に入った髪の毛は洗濯しただけでは除去しきれず、通常固いブラシや櫛の歯などで擦って除去している。しかし、この除去に時間が掛かり面倒であり、その割りには充分に除去できないという問題があった。
【０００７】
更に、固いブラシや櫛の歯などで擦って除去する場合は、面ファスナのフック状の起毛やループ状の起毛の傷みが早く且つ面ファスナのシート本体を傷めて、面ファスナ自体の寿命を短くするなどの課題がある。
【０００８】
この対策として、特許文献４（特開２００６−６４３７号公報）には、首周りに両側から重ね合わされる襟部を設け、この襟部の両端部を係止して着用する理美容用ケープにおいて、前記襟部の両端部の一方に磁石を、他方に磁石又は磁性材料を取り付け、これらの一方の磁石と他方の磁石又は磁性材料との磁気吸引力で、前記襟部の両端部を係止することが提案されている。
【０００９】
また、特許文献５（実用新案登録第３１１９５８３号公報）には、略長方形状の上方中央部に設けられ被着者のネック部に装着される円形開口部をなす襟首部及び該襟首部から両側方向へ向かって被着者の背中側に折り返す折返し部が形成されたシート本体と、該シート本体の前記折返し部の一側の襟首部近傍にマグネットが収容されたマグネットシート収容部と、前記折返し部の他側の襟首部近傍に前記マグネットシート収容部と略直角に形成され前記マグネットと吸着されるレジンが収容されるレジンシート収容部とから構成され、被着者が装着した状態において前記マグネットシート収容部内のマグネットとレジンシート収容部内のレジンとが吸着することで被着者のネック部から上半身がシート本体によって覆われるようにすることが提案されている。
【００１０】
しかしながら、上述の特許文献４において金属磁石や金属磁性材料を用いると高価になるとともに金属の硬さにより着用者に不快感を与えるという問題がある。
【００１１】
一方、特許文献５のようなマグネットシートとレジンシートの組合わせでは、吸引力が不充分であり、着用者の身体からずり落ちないように理容・美容用ケープを着用者に装着することが難しく、充分に実用に供し得ないという問題がある。
【００１２】
また、理容・美容用ケープは、衛生面から、例えば使用の都度毎日のように頻繁に、洗濯する必要がある。しかし、上述のように磁石を用いた場合には、ケープを形成しているシートが硬い磁石により擦られて損傷し、また、マグネットシートとレジンシートの組合わせを用いた場合には、マグネットシートやレジンシートが多数回の洗濯に耐えられず傷無という問題がある。いずれにしても、頻繁に新しい理容・美容用ケープに交換する必要が生じて、経済的でないという問題がある。
【００１３】
本考案は、上述のような従来の理容・美容用ケープに付随する問題を解消することを目的とする。
【００１４】
本考案は、着用者に不快感を与えず、着用者の身体にしっかりと装着できて身体からずり落ちることがなく、カットなどの作業が効率良く行える理容・美容用ケープを提供することを目的とする。
【００１５】
また、本考案は、多数回の洗濯に耐え、頻繁に新しい理容・美容用ケープに交換する必要がなく、経済的な理容・美容用ケープを提供することを目的とする。
【課題を解決するための手段】
【００１６】
本考案においては、上記の目的を、首周りに両側から重ね合わされる襟部が設けられ、該襟部の両端部に互いに係合可能に面ファスナが設けられた理容・美容用ケープにおいて、被覆部材の上端部が前記襟部の上部位置に取着されており、互いに係合した面ファスナを外側から該被覆部材が覆うようになっていることを特徴とする理容・美容用ケープにより達成する。
【００１７】
本考案のケープを着用した状態においては、前記互いに係合可能な面ファスナのうち、ケープの表面側に取着された内側面ファスナ（すなわち、ケープを着用者に着せた場合に、重なり合うケープの両端部のうち理容・美容用ケープの着用者に近い側の面ファスナよりも理容・美容用ケープの着用者に近くなる側に前記被覆部材の上端部が取着されている。
【００１８】
本考案においては、前記襟部の両端部に互いに係合可能な面ファスナ群の少なくとも一方が理容・美容用ケープの上下方向に多段に設けられていてもよい。
本考案は、後開きタイプ又は前開きタイプのいずれの理容・美容用ケープにも適用することができる。
【考案の効果】
【００１９】
本考案においては、被覆部材の上端部が前記襟部の上部位置に取着されており、互いに係合した面ファスナを外側から該被覆部材が覆うようになっているので、頭髪カットなどの際に面ファスナを構成しているフック状の起毛やループ状の起毛の細かい目の間に刈られた毛髪等が付着することを防止でき、次に着用する人に不衛生な感じや不潔な感じを与えることがなく、衛生的で清潔感に溢れた環境を提供できる。
【００２０】
この場合に、前記互いに係合可能な面ファスナのうち、
ケープの表面側に取着された内側面ファスナ（すなわち、ケープを着用者に着せた場合に、重なり合うケープの両端部のうち理容・美容用ケープの着用者に近い側の面ファスナよりも理容・美容用ケープの着用者に近くなる側に前記被覆部材の上端部が取着されていることにより、互いに係合した面ファスナを構成しているフック状の起毛やループ状の起毛の細かい目が前記被覆部材により覆われるので、面ファスナの細かい目の間に刈られた毛髪等が付着することを充分に防止できる。
【００２１】
本考案においては、首周りに両側から重ね合わされる襟部が設けられ、襟部の両端部に互いに係合可能に面ファスナが設けられており、面ファスナにより襟部の両端部を互いに係合させているので、前述した金属磁石や金属磁性材料のように着用者に不快感を与えることなく、充分に大きな係合力が得られ、磁石やマグネットシートとレジンシートの組合わせのように不充分な吸引力のために理容・美容用ケープが着用者の身体からずり落ちるようなことがなく、理容・美容用ケープを着用者の身体にしっかりと装着することができ、充分に実用に供することができる。
【００２２】
また、本考案の理容・美容用ケープは例えば使用の都度毎日のように頻繁に洗濯することができ、磁石やマグネットシートとレジンシートの組合わせを用いた場合に比べて経済的である。
【００２３】
以上のように、本考案は、前述した金属磁石や金属磁性材料のように着用者に不快感を与えることなく、充分に大きな係合力が得られ、磁石やマグネットシートとレジンシートの組合わせのように不充分な吸引力のために理容・美容用ケープが着用者の身体からずり落ちることがなく、カットなどの作業が効率良く行え、多数回の洗濯に耐え、頻繁に新しい理容・美容用ケープに交換する必要がなく、経済的な理容・美容用ケープを提供することができる。
【図面の簡単な説明】
【００２４】
以下、図面を参照して、本考案の実施例を詳細に説明する。
【図１】本考案に係る後開きタイプの理容・美容用ケープを着用者に装着した状態で前方から見た斜視図である。
【図２】図１に示す理容・美容用ケープの襟部を後側から見た状態の斜視図であり、（ａ）は面ファスナを係合させる前の理容・美容用ケープの被覆部材を持ち上げた状態であり、（ｂ）は面ファスナを係合させた後の理容・美容用ケープの被覆部材を持ち上げた状態であり、（ｃ）は（ｂ）のｃ−ｃ矢視断面図であり、（ｄ）は図１に示す理容・美容用ケープの面ファスナを図２（ｂ）に示すように係合させた後、被覆部材を下げた状態の後側襟部を示す斜視図である。
【考案を実施するための形態】
【００２５】
図１は本考案に係る後開きタイプの理容・美容用ケープ１を着用者に装着した状態で前方から見た斜視図である。
本考案の理容・美容用ケープ１は、繰返し且つ容易に洗濯が行えるようにポリエステルやナイロン等の合成繊維繊維の生地で作られており，着用者の腕を装着するための左右の袖部１１ａ、１１ｂが作られている。
【００２６】
更に、理容・美容用ケープ１の首周りには、後開き部において両側から重ね合わされる襟部１ａが設けられている。
【００２７】
図２は図１に示す理容・美容用ケープ１の襟部１ａを後側から見た状態の斜視図であり、（ａ）は面ファスナを係合させる前の理容・美容用ケープの被覆部材を持ち上げた状態であり、（ｂ）は面ファスナを係合させた後の理容・美容用ケープの被覆部材を持ち上げた状態であり、（ｃ）は（ｂ）のｃ−ｃ矢視断面図であり、（ｄ）は図１に示す理容・美容用ケープの面ファスナを図２（ｂ）に示すように係合させた後、被覆部材を下げた状態の後側襟部を示す斜視図である。なお、図２（ａ）、（ｂ）及び（ｄ）中の点線は縁取り縫い線を示している。
【００２８】
図２（ｃ）に示すように、理容・美容用ケープ１の上端部に折返し山部を上向きとして二つ折りした縁布１０を縫着して襟部１ａを形成している。
【００２９】
図２（ａ）、（ｂ）に示すように、襟部１ａの両端部（面ファスナを係合させたときに外側となる外側端部１ａａ、面ファスナを係合させたときに内側となる内側端部１ａｂ）に互いに係合可能に外側面ファスナ２ａ及び内側面ファスナ２ｂが設けられている。なお、外側面ファスナ２ａはケープ本体１の裏面側１３に縫着され、内側面ファスナ２ｂはケープ本体１の表面側１４に縫着される。
【００３０】
この実施例においては、襟部１ａの内側端部１ａｂに、内側面ファスナ２ｂと角度をなして別の内側面ファスナ２ｃが設けられている。
この実施例においては、外側面ファスナ２ａがフック状の起毛を有し、内側面ファスナ２ｂ、２ｃがループ状の起毛を有している。しかし、外側面ファスナ２ａがループ状の起毛を有し、内側面ファスナ２ｂ、２ｃがフック状の起毛を有していてもよい。
【００３１】
図２（ａ）に示すように、被覆部材３が、一対の面ファスナ２ａ、２ｂのうち、ケープ１の表面側１３に取着される内側面ファスナ２ｂと対応する箇所に設けられる。すなわち、図２（ｃ）に示すように、襟部１ａの内側端部１ａｂと内側面ファスナ２ｂとの間に被覆部材３の上端部（着用時に上側となる部分）となる端部が縫着されており、互いに係合した外側面ファスナ２ａ及び内側面ファスナ２ｂ、２ｃを縫着部から折返した被覆部材３が外側から覆うようになっている。
【００３２】
なお、図２（ｃ）では、被覆部材３の上端３ａが内側面ファスナ２ｂとケープ１の内側端部１ａｂとの間に挟まれているが、上端３ａを内側端部１ａｂの内側、すなわち、ケープ１の裏面側に縫着してもよい。
【００３３】
上述のように、この実施例においては、襟部１ａの内側端部１ａｂに、内側面ファスナ２ｂと角度をなして別の内側面ファスナ２ｃが設けられているので、表側面ファスナ２ａと係合させる内側面ファスナ２ｂ、２ｃを適宜選択することにより、襟部１ａを着用者の首回りへ巻付ける際に、締め過ぎたり、緩る過ぎたりすることなく適正に装着することができる。
【００３４】
本考案は種々の理容・美容用ケープに適用できる。この場合の理容・美容用ケープ１の襟部１ａは、図１を参照して説明した理容・美容用ケープ１の襟部１ａと同様な構成となっている。
【産業上の利用可能性】
【００３５】
本考案は理容・美容用ケープの製造業界において製造することができ、本考案の理容・美容用ケープにより理髪店や美容院の清潔さを向上することができる。
【符号の説明】
【００３６】
１ 
理容・美容用ケープ
１ａ 
ケープの襟部
１ａａ 
襟部の外側端部
１ａｂ 
襟部の内側端部
１ａｃ 
襟部の上部位置
２ａ 
外側面ファスナ
２ｂ、２ｃ 
内側面ファスナ
３ 
被覆部材
３ａ 
被覆部材の上端部
【図１】
0003165301.tif 000003
【図２】
0003165301.tif 000004